(57)【要約】  脂肪身体組織の減少によって体重の損失を支援する装置。好ましくは、この装置は、衣服（１）の形状であり、患者の身体中の電気化学的シグナルメッセージ伝達システムの電位が改変されるような様式で構築される、電気的に導電性部分（１０−１３）および絶縁性部分（１４、１５）を提供する。再指向された電流は、貯蔵された脂肪組織の放出、および体重の減少の誘因となる。この電気的に導電性の部分は、安全かつ有効な使用を可能にするように構成および提供される。
2005508675.tif 000002
【特許請求の範囲】
【請求項１】
患者における体重減少のための方法であって：
該患者中の皮下脂質沈着物を位置決めする工程；
該皮下脂質沈着物に近接する、第１の皮膚表面を同定する工程；
該患者中に存在する電荷の電流流れ経路を創製する工程；および
該電流流れ経路を、有意な電気的に誘因される体重減少を生じるに十分な時間維持する工程、を包含する、方法。
【請求項２】
前記電流流れ経路を創製する工程が、低抵抗の電気的導電性材料を、前記第１の皮膚表面に直接付与する工程を包含する、請求項１に記載の方法。
【請求項３】
前記電流流れ経路を維持する工程が、前記低抵抗の電気的導電性材料を、前記第１の皮膚表面と接触して維持する工程を包含する、請求項２に記載の方法。
【請求項４】
第２の皮膚表面を同定する工程であって、該第２の皮膚表面が前記脂質沈着物には近接しない工程、そして該第２の皮膚表面に、低抵抗の電気的導電性材料の付与を避ける工程をさらに包含する、請求項１に記載の方法。
【請求項５】
前記第２の皮膚表面が、骨関節に近接している、請求項４に記載の方法。
【請求項６】
前記時間が、少なくとも３日間の間に、１日あたり少なくとも４時間を含む、請求項１に記載の方法。
【請求項７】
前記第１の皮膚表面を除毛する工程をさらに包含する、請求項１に記載の方法。
【請求項８】
前記第１の皮膚表面に導電性増強剤を塗布する工程をさらに包含する、請求項１に記載の方法。
【請求項９】
前記脂質沈着物が一旦減ると、前記低抵抗の電気的導電性材料を除去する工程をさらに包含する、請求項１に記載の方法。
【請求項１０】
患者の体重を減少するための衣服であって：
該患者の第１の皮膚表面に直接接触するように適合される低抵抗の電気的導電性材料部分であって、該第１の皮膚表面が、該患者中の脂質沈着物に近接している、電気的導電性材料部分；および
該低抵抗の電気的導電性材料部分を、該第１の皮膚表面と直接接触させて維持するように適合される支持部分を備える、衣服。
【請求項１１】
前記支持部分が、電気的絶縁性材料を含む、請求項１０に記載の衣服。
【請求項１２】
前記支持部分が、前記患者の中央部分から該患者の末端に走る電位勾配の破壊を最小にするように適合される、請求項１１に記載の衣服。
【請求項１３】
前記低抵抗の電気的導電性材料部分が１つ以上の低抵抗の電気的導電性材料部分を備え、ここで、前記支持部分が、該１つ以上の低抵抗の電気的導電性材料部分を互いから電気的に絶縁するように適合される、請求項１１に記載の衣服。
【請求項１４】
前記１つ以上の低抵抗の電気的導電性材料部分が、前記患者中の１つ以上の脂質沈着物に実質的に近接して位置決めされる、請求項１３に記載の衣服。
【請求項１５】
前記支持部分が、前記１つ以上の低抵抗の電気的導電性材料部分の間に複数のギャップを備える、請求項１３に記載の衣服。
【請求項１６】
前記ギャップが、約０．５〜１インチである、請求項１５に記載の衣服。
【請求項１７】
前記ギャップが、該患者の中央部分から該患者の末端に向かって半径方向の外側に測定して、約６〜１８インチ毎に位置決めされた、請求項１５に記載の衣服。
【請求項１８】
１つ以上のギャップが、骨関節に実質的に近接して位置決めされる、請求項１５に記載の衣服。
【請求項１９】
前記低抵抗の電気的導電性材料が、平方インチあたり約１０，０００オームより小さい抵抗を含む、請求項１０に記載の衣服。
【請求項２０】
前記低抵抗の電気的導電性材料が、ユーザーが調節可能なファスナーで前記支持部分に取り付けられる、請求項１０に記載の衣服。
【請求項２１】
前記低抵抗の電気的導電性材料が、可撓性の布様材料を含む、請求項１０に記載の衣服。
【請求項２２】
前記布様材料が、銀メッキされた織りナイロン布を含む、請求項２１に記載の衣服。
【請求項２３】
以下の少なくとも１つとして販売および売買される、請求項１０に記載の衣服：
ａ．体重減少デバイス、
ｂ．体重減少衣服、
ｃ．フィットネス衣服、
ｄ．筋肉緊張デバイス、
ｅ．脂肪燃焼デバイス、
ｆ．脂質沈着物を低減するデバイス。
【請求項２４】
前記低抵抗の電気的導電性材料部分が、前記患者中の自然に存在する電位勾配を十分に短絡し、該患者における実質的な体重減少を誘因するに十分大きい、請求項１０に記載の衣服。
【請求項２５】
前記衣服が、前記患者中の電荷の電流流れ経路を創製するように適合される、請求項１０に記載の衣服。
【請求項２６】
前記衣服が、有意な電気的に誘因される体重減少を引き起こすに十分な時間、電流流れ経路を維持するように適合される、請求項１０に記載の衣服。
【請求項２７】
前記患者が第２の皮膚表面をさらに備え、該第２の皮膚表面が、前記脂質沈着物には近接せず、そしてここで、前記衣服が、該第２の皮膚表面への前記低抵抗の電気的導電性材料の付与を避けるよう適合される、請求項１０に記載の衣服。
【請求項２８】
前記低抵抗の電気的導電性材料部分が、前記第１の皮膚表面に液体形態で付与されるように適合される、請求項１０に記載の衣服。
【請求項２９】
前記低抵抗の電気的導電性材料部分が、ペイントを含む、請求項２８に記載の衣服。
【請求項３０】
前記支持部分が、固定剤を含む、請求項２８に記載の衣服。
【請求項３１】
前記固定剤が、前記低抵抗の電気的導電性材料部分と組合され、そしてこの組合せが、前記第１の皮膚表面に付与される、請求項３０に記載の衣服。
【発明の詳細な説明】
【技術分野】
【０００１】
（発明の分野）
本発明の分野は、患者における医療状態の処置に関し、そしてより詳細には、患者内の電気的導電性の使用を通じて体重を減少することに関する。
【背景技術】
【０００２】
（背景）
肥満は、多数の人々を悩ます問題である。特定の領域では体重を失うことができない人々がおり、全身体重コントロール問題をもつ人々もいる。激しい運動に必要な時間およびエネルギーを消費することを望まない人々もいる。種々の現存する体重減少法は、カロリー摂取減少、運動、ハーブティー、刺激性薬物、脂肪吸引、グレープフルーツプランなどのようなものを含む。しかし、多くの人々にとって、現存する方法は、費用がかかりすぎ、困難であるか、または所望の結果を提供しないかのいずれかである。
【０００３】
例えば、多くの人々は、ダイエットまたは運動プランに固執することができない。多くの人々は、量または質のいずれかで彼らの食物消費を制限できないか、または望まない。さらに、多くの人々は、可能性ある合併症またその他の所望されない作用のために、体重を減少するために外科手順を受けることを嫌い、および／または体重コントロール薬物療法をとることを嫌う。
【発明の開示】
【発明が解決しようとする課題】
【０００４】
従って、現存する方法で満足されない人々にとって体重を落とすための有効な代替物を提供することが所望されている。
【課題を解決するための手段】
【０００５】
（発明の要旨）
本発明の１つの実施形態では、新規な生体電気化学的作用手段を用いる効果的な体重損失の方法が提供される。実施形態は、体重損失の新規かつ改良された方法を提供し、その１つは、施行することが単純で、かつユーザーが従うのに容易である。実施形態は、その他の方法では得ることが困難または不可能であり得る体重減少を達成する。実施形態は、分子レベルで作用し、脂肪分子を取り除き、そしてそれらを血流に侵入させ、そこで、それらは、代謝されて除かれ得る。実施形態では、電流流れが患者中で誘導され、脂肪分子を取り除く。実施形態では、代謝活性の新規手段が、以前には困難な減少を可能にし、組織を代謝するような方法で提供される。実施形態は、最小のユーザー努力を必要とし、このユーザーが結果を得ることを容易にする。
【０００６】
添付の図面は、詳細な説明とともに本発明の実施形態のさらなる理解を提供するために含められ、開示される実施形態の原理を説明するために供される。
【発明を実施するための最良の形態】
【０００７】
（好適な実施形態の詳細な説明）
（衣服の概要）
図１に関して、本発明の実施形態による衣服１が示される。衣服１は、体重減少を求める患者により着用されるように適合されている。図１の実施形態では、衣服１は、一組のパンツである。その他の実施形態では、衣服１は、シャツ、腕パッド、膝パッド、ガードル、すね当て、またはその他の類似の品目のような、以下に開示の原理に従う、体重減少を容易にするために有用な任意のその他の衣服の形態であり得る。
【０００８】
衣服１は、布、プラスチック、紙、または衣服を構築することの使用に適切なその他の材料のような、可撓性材料２で構築される。好ましくは、この可撓性材料２は、衣服１が、患者の身体の周りにぴったり適合するように、弾性材料で構成される。この衣服１は、内表面３および外表面４を含む。この内表面３は、衣服の着用者と接触するように適合されている。この内表面３に取り付けられるのは、１片以上の可撓性の電気的導電性材料５である。この可撓性の電気的導電性材料部分５は、接着剤、縫い目、スナップ、または、この可撓性の電気的導電性材料部分５を、脂肪沈着物に近接して配置するために適合されるファスナーのようなその他を用いて、衣服２の内側に取り付けられ得る。この衣服１はまた、種々のジッパー、スナップまたはバックルを含み得、所望されるように、上記可撓性の電気的導電性材料部分５を再配置することを支援する。
【０００９】
この可撓性の電気的導電性材料５は、当業者により選択される特定の設計選択に依存して、外側から見えても良いし見えなくても良い。この可撓性の電気的導電性材料５は、一般に、上記内表面３の１つ以上の部分を覆う。外表面４は、内表面３に支持を提供するよう、および装飾、環境（ｅｌｅｍｅｎｔｓ）からの保護、覆いの提供などのような、衣服で見出されるその他の有用な特徴のいずれかを提供するように適合されている。
【００１０】
この衣服１は見込まれる消費者に衣服１の目的を識別する情報タグ６と組み合わせて販売または売買され得る。この情報タグ６は、「体重を減らす」、「体重減少デバイス」、「体重減少衣服」、「フィットネス衣服」、「筋肉調整デバイス」、「脂肪燃焼デハイス」、「脂肪沈着物を低減するためのデバイス」のような情報を含む。この情報タグ６は、衣服１の市場性を増大するように適合される。例えば、この情報タグ６は、衣服１を含むパッケージングの上に配置され得るか、あるいは雑誌広告もしくは新聞広告、および／またはテレビもしくはラジオの情報もしくはコマーシャルのような広告において用いられ得る。
【００１１】
図２に関し、衣服１は、複数の可撓性電気的導電性材料部分１０、１１、１２、１３を有し得る。図２に示される形状は、ヒト患者により着用される一組のパンツの背面部分用に適合されているが、ヒトまたは非ヒト患者による使用のために意図されるその他のタイプの衣服のためのその他の形状もまた可能である。この衣服１はまた、可撓性の電気的導電性材料部分１０、１１、１２、１３の間にいくつかのギャップ１４、１５を含む。これらのギャップ１４、１５は、ギップ１４、１５を横切って、可撓性の電気的導電性材料部分１０、１１、１２、１３の間で有意な電気導電が起こらないように、絶縁性材料で構築されている。
【００１２】
（使用における上記衣服の概要）
図３に関し、図２の衣服１は、患者１６により着用されて示される。患者１６は、中央部分１７、および頭部２０、脚２１、および腕２４を含む末端を含む。患者１６のさらなる部分は、明瞭さのために省略している。可撓性の電気的導電性材料領域１０、１１は、見え、そして可撓性の電気的導電性材料領域１２、１３は患者１６によって隠されている。さらに、図３に見られるのは、衣服１の前面部分に取り付けられた可撓性の電気的導電性材料領域１８、１９である。これらの可撓性の電気的導電性材料部分１０、１１、１２、１３、１８、１９は、衣服１の内表面上に、患者１６の皮膚と直接接触するように取り付けられる。可撓性の電気的導電性材料部分１０、１１、１２、１３、１８、１９と患者１６の皮膚との間には絶縁層はない。図１および図２における衣服１の描写とともに、衣服１が切り取り図で示され、可撓性の電気的導電性材料部分をより良好に描く。異なる実施形態では、これらの部分は、外側から見えても良いし見えなくても良い。
【００１３】
可撓性の電気的導電性材料部分１０および１２は、患者１６の殿部と接触するように適合されている。可撓性の電気的導電性材料部分１１、１３、１９は、患者１６の太腿と接触するよう適合されている。可撓性の電気的導電性材料部分１８は、患者１６の腹部と接触するよう適合されている。衣服１はまた、弾性腰バンド２２および弾性脚バンド２３を含み、可撓性の電気的導電性材料部分１０、１１、１２、１３、１８、１９と患者１６の皮膚との間の接触を維持することを支援する。衣服１の部分と患者１６との間の接触を維持することを支援することが所望される場所で、その他の弾性要素が用いられ得る。さらに、可撓性の電気的導電性材料部分は、所望により、プリーツを付け、伸張され、折り畳まれ、または成形されて、患者１６の身体輪郭に一致し得る。
【００１４】
患者１６の腹部領域のための、代表的な、可撓性の電気的導電性材料部分１８は、幅が約１２〜２４インチ、高さが約１０〜２０インチであり、そしてヒト腹部の代表的な形状に一致するために、丸みのある角をもつほぼ台形のパターンに形成、切断または折り畳まれる。可撓性の電気的導電性材料部分１６の総表面積は、およそ０．８〜３．３平方フィートの範囲である。これらの寸法は、すべて、処置される患者１６の特定の特徴に依存し、そしてそれ故可変である。太腿、殿部、腕、脚および患者１６のその他の身体部分を覆う可撓性の電気的導電性材料が、同様に形作られる。
【００１５】
（可撓性の電気的導電性材料部分の構築）
ここで、可撓性の電気的導電性材料部分の構築を、より詳細に論議する。これらの、可撓性の電気的導電性材料部分は、低抵抗を有する電気的導電性材料から形成される。好ましくは、この電気的導電性材料の抵抗は、患者１６の皮膚の抵抗にほぼ等しいか、またはそれより小さい。この抵抗は、平方インチあたりほぼ１０，０００オームであるかまたはそれより小さい。帯電防止材料のような、平方インチあたり１００，０００オームまたはそれより大きい抵抗をもつ電気的導電性材料は、有効でないことが見出されている。この可撓性の電気的導電性材料部分は、体重減少を促進するように適合され、そしてそれ故、例えば、医療器具のための読み取り値を収集することのような治療目的のため、または筋肉を電気的に刺激するために用いられる、他のタイプの電気的導電性材料部分より広く、そしてより低抵抗性であり得る。
【００１６】
特定の好適な実施形態では、可撓性の電気的導電性材料５は、銀メッキされた織りナイロン布から作製される。銀メッキされたナイロン布は高度に可撓性であり、非常に低い抵抗をもち、そして患者の皮膚を刺激しない。メッキされた布の全表面は、敏速に電導性であり、それ故、電気的導電性材料５での患者１６の皮膚の最大の適用範囲を可能にする。銀メッキされたナイロン布は、平方インチあたり１，０００オームのオーダーまたはそれより小さい抵抗を有し、しばしば、平方インチあたり１オーム程度までになる。このような材料は、例えば、Ｓｗｉｆｔ  Ｔｅｘｔｉｌｅ  Ｍｅｔａｌｉｚｉｎｇ  ｏｆ  Ｂｌｏｏｍｆｉｅｌｄ、ＣＴ、またはその他の供給源から市販され得る。ニッケルまたはその他の導電性金属、または炭素でメッキされた材料のようなその他の材料もまた適切であり得る。
【００１７】
（衣服の機能化）
例えば、衣服１に取り付けられていることにより、患者１６によって使用されるとき、可撓性の電気的導電性材料５は、患者１６の皮膚と直接接触している。可撓性の電気的導電性材料５の低抵抗のため、この材料を横切る効率的なイオン／電子輸送が、患者１６において代表的に存在する低電位においてさえ提供される。この可撓性の電気的導電性材料は、通常の生物学的プロセスの結果として、患者１６中で自然に生じる電荷のために、患者１６の組織中の点の間に１つ以上の電流経路を創製するために供される。
【００１８】
この可撓性の電気的導電性材料部分は、代表的には、ペーストまたはクリームのような任意の導電性増強剤を使用せずに患者１６の皮膚に適用されるが、所望により、このような増強剤もまた用いられ得る。好ましくは、この可撓性の電気的導電性材料部分と接触する皮膚表面は、改良された導電性を提供するように、清潔でありかつ過剰の毛髪がない。接触されるべき皮膚表面上に存在する毛髪は、脱毛剤クリームまたは髭剃りのような種々の従来手段のいずれかにより除去され得る。
【００１９】
この可撓性の電気的導電性材料部分は、例えば、衣服１に取り付けられるとき、好ましくは、患者１６によって長期間着用される。例えば、１２〜２４時間の使用の毎日の時間が有効であることが見出されているが、１日あたり４時間程度でも、注目に値する結果を生じ得る。衣服１は、数日、数週、数ヶ月またはより長く、所望の結果が得られるまで用いられ得る。患者の身体化学は、患者が長時間の間、あたかも長期間の低レベル運動に従事しているように挙動する。患者１６内の脂肪沈着物は減少し、より濃く、より筋肉質タイプ組織へ移行する。
【００２０】
経時的に、患者１６の皮膚と直接接触している、衣服１の可撓性の電気的導電性材料部分は、この可撓性の電気的導電性材料部分に近接する脂肪沈着物中の利用可能な電子の減少をもたらす。この低減された量の脂肪沈着物中の電子は、この可撓性の電気的導電性材料部分が存在しない患者１６の残りの部分にある電気的活性に関係し、脂肪沈着物が分解されるようにする。これは、次に、脂肪沈着物のサイズの減少を引き起こす。脂肪沈着物の減少は、長鎖分子として貯蔵された脂質エネルギーを、血流中に、患者１６の通常の生物学的プロセスを通じてより容易にエネルギーに変換され得る、より小さく、より容易に代謝可能な分子として放出する。
【００２１】
使用において、注目すべき結果は、しばしば、ほんの２〜３日後に観察され得る。脂質沈着物は、可撓性の電気的導電性材料部分と接触する患者１６の領域で減少し、そして覆われない領域では減少しない。例えば、可撓性の電気的導電性材料部分が、患者１６の第１脚上の脂質沈着物と直接接触し、そして患者１６の第２脚と接触しないとき、第１脚はスリムになるが、第２脚はならない。
【００２２】
さらに、衣服１の使用は、体重減少の多くのその他の形態にともなう空腹感を患者１６に経験させない。可撓性の電気的導電性材料部分により誘因される電気的活性により分解される脂質沈着物は、より小さな脂質分子として血流中に入る。血流中に懸濁されたこれらの分子は、患者１６があたかも食後のように患者１６を感じさせる。代表的には、患者１６は、この飽食の感覚を、患者１６がこの衣服１を着用し、そして衣服１の可撓性の電気的導電性材料部分の作用により低減されるべき皮下脂質沈着物が残存している限り維持する。血流中に懸濁された低減脂質の存在は、本質的に疲労もエネルギー損失もなしに、空腹感衝動および消化活性を停止する。患者１６の外部カロリー取り込み（食物および飲み物）の通常の供給源は、血流中の低減脂質により補充される。この外部カロリー取り込みにおける減少は、患者１６に体重減少を経験させる。
【００２３】
患者１６の脂質沈着物と直接接触する、約１〜３平方フィートの可撓性の電気的導電性材料が、通常の１日の基礎カロリー要求を供給するための十分な脂質を放出するに十分である。夜には、睡眠を補助するために、衣服１は部分的に取り除かれ得るか、衣服１内の可撓性の電気的導電性材料部分は取り除かれ得るか、またはより小さな可撓性の電気的導電性材料部分を有する他の衣服が着用され得る。
【００２４】
一旦体重減少が生じ始めると、衣服１は可能な限り、好ましくは、１日あたり１６時間継続して着用されるべきである。衣服１が除去されるとき、これらプロセスは直ちに終了し、血流中に懸濁された脂質分子は、貯蔵アクセプター部位に迅速に再結合し、そして空腹感が始まる。次いで、衣服１の着用の再開に際し、結果が再び始まるのに数時間以上を必要とし得る。
【００２５】
腰および太腿の周りのサイズ測定は、ほんの１週間または２週間の使用で、およそ数インチ、および多数ポンド低下し得る。一旦所望の体重および形状が得られると、合理的なダイエットが続く場合、衣服１は、この形状を維持するために、月あたり０日または２日または３日着用される必要があるのみである。
【００２６】
さらに、脂質組織は、衣服１の可撓性の電気的導電性材料部分の下でのみ減少するので、この衣服１は、特定の身体領域を他の身体領域よりも低減するために用いられ得、可撓性の電気的導電性材料部分の配置を改変することによって、所望されるような体型を作ることを可能にするというさらなる利点を有する。大量の体重減少の場合には、体重が減少し、そしてサイズが減少するにつれ、身体を収容するために、いくつかの異なるサイズの衣服が用いられる必要がある。このデバイスは、ヒトおよび哺乳動物により、そしてより一般には、生存体の身体内に十分な電荷を生成する任意の生存体により用いられ得る。
【００２７】
（ギャップおよび可撓性の電気的導電性材料部分の配置の詳細）
患者１６は、患者１６中で生じる通常の生物学的プロセスの結果として創製される、自然に生じる電位勾配を有している。この電位勾配は、図４に示されるように、一般に、身体１６の中央部分１７中に位置する高電位領域から、半径方向の外側に、腕２４、頭部２０および脚２１のような患者１６の末端に向かって走る。衣服１の長期間使用は、この電位勾配と相互作用する可撓性の電気的導電性材料部分により誘因される電気的活性に起因して、所望されない副作用を生じ得る。例えば、吐気、胃の障害、重篤な心臓の障害、心不全、循環障害、痛み、中枢神経系抑制、神経感覚の損失、および疲労が生じ得る。これらの副作用は、可撓性の電気的導電性材料部分の注意深い配置、および衣服１内のギャップ１４、１５のような絶縁性ギャップの使用により実質的に低減するか、または排除される。この絶縁性ギャップ１４、１５は、電荷が、この可撓性の電気的導電性材料部分に近接して位置する脂肪沈着物を通じて短絡し、なお、患者１６内の全体の電位勾配を保持することを可能にする。
【００２８】
可撓性の電気的導電性材料部分の低抵抗とは対照的に、この絶縁性ギャップは、比較的高い抵抗を有し、これは、この絶縁性ギャップを横切る電流流れを実質的にブロックする。この絶縁性ギャップは、患者１６の比較的遠隔にある部位間の通常の電位勾配を保持し、その一方、可撓性の電気的導電性材料部分が、互いに近傍に位置する患者１６の部分を通じる電流流れの経路を決めることを可能にする。この絶縁性ギャップは、可撓性の電気的導電性材料部分の周りにブレーキを配置し、それによってこの可撓性の電気的導電性材料部分を、いくつかの電気的に不連続な部分に分けることにより、分離された処置ゾーンを創製する。例えば、図２に戻り、この絶縁性ギャップ１４、１５は、可撓性の電気的導電性材料５を、別の可撓性の電気的導電性材料部分１０、１１、１２、１３に分割する。
【００２９】
絶縁性ギャップ１４、１５は、非常に大きい必要はない。約０．５〜１インチのギャップサイズは、可撓性の電気的導電性材料部分を互いから絶縁するに十分であることが見出された。この絶縁性ギャップ１４、１５は、可撓性の電気的導電性材料部分１０、１１、１２、１３の各々を、わずかに異なる電位で絶縁し、かつ安定化することを可能にし、それ故、患者１６中に自然に生じる電位勾配を実質的に保存する。これは、この電位勾配を破壊することにより生じる所望されない副作用を防ぐか、または実質的に最小にする。
【００３０】
図４に戻り、絶縁性ギャップ３５の効果を含む、２つの可撓性の電気的導電性材料部分２５、３２の詳細な操作が示される。患者１６の皮膚表面２６と直接接触する可撓性の電気的導電性材料部分２５、３２の断面図が示される。支持部分３６は、可撓性の電気的導電性材料部分２５、３２に取り付けられ、この可撓性の電気的導電性材料部分２５、３２を皮膚表面２６に接触し続けることを補助する。電流経路２７は、この可撓性の電気的導電性材料部分２５、３２の表面を横切り、そして脂質沈着物２８を通じて形成され、ここで、この可撓性の電気的導電性材料部分２５、３２は、皮膚表面２６を覆う。第１のミリ電圧計２９が、この可撓性の電気的導電性材料部分２５の表面上の２つの点の両者間の範囲３０を横切って連結される。この第１のミリ電圧計は、この範囲３０を横切る非常に小さい電圧を示す。なぜなら、この第１の範囲３０の末端点は、同一の可撓性電気的導電性材料部分２５に取り付けられているからである。第２のミリ電圧計３４は、絶縁性ギャップ３５を横切って、可撓性の電気的導電性材料部分２５の表面上の点と、可撓性の電気的導電性材料部分３２の表面上の第２の点との間の第２の範囲３１を横切って連結される。この第２のミリ電圧計３４は、可撓性の電気的導電性材料部分２５、３２間の電位を示す。絶縁性ギャップ３５は、可撓性の電気的導電性材料部分２５、３２の各々が、互いから独立した電位を、そして患者１６と接触する任意のその他の可撓性の電気的導電性材料部分から独立した電位を維持することを可能にする。これは、各可撓性電気的導電性材料部分２５、３２に近接する脂質沈着物２８を通じて短絡電流を流させるが、患者１６に存在する全体の電位勾配の撹乱は防ぐ。
【００３１】
この可撓性の電気的導電性材料部分２５、３２が、上記で論議した衣服１のような衣服に取り付けられるとき、支持部分３６は、衣服１に付加され得、可撓性の電気的導電性材料部分２５、３２の操作を容易にする。一般に、この支持部分３６は、可撓性の電気的導電性材料部分２５、３２より抵抗が実質的に高い、比較的高い抵抗の可撓性材料から構築される。好ましくは、この支持部分３６は、平方インチあたり１００，０００オームより大きい抵抗を有し、そして特に好ましくは、平方インチあたり１，０００，０００オームの抵抗を有する。綿、ポリエステル、ＳｐａｎｄｅｘＴＭなどのような代表的な衣類材料が、支持部分３６における使用に適切である。この支持部分３６はまた、衣服１に対する構造的支持を提供し、可撓性の電気的導電性材料部分２５、３２を、患者１６の皮膚表面２６と直接接触させて保持する。
【００３２】
所望されない副作用はまた、内部器官、脂肪沈着物、骨および骨関節などのような患者１６の種々の要素に対する、可撓性の電気的導電性材料部分の適切な位置決めを通じて和らげるか、または避けられる。好ましくは、この可撓性の電気的導電性材料部分は、顕著な皮下脂質沈着物にすぐ近接して配置される。十分な脂質沈着物の存在を検出するための簡単な試験が存在する。患者１６上の脂質皮膚の約１インチより多い厚さがひとつまみで握られる場合、そのときは、患者１６の処置領域に存在する適切な脂質が存在し得る。
【００３３】
好ましくは、この可撓性の電気的導電性材料部分は、患者１６中の骨には近接して配置されない。好ましくは、この可撓性の電気的導電性材料部分は、任意の顕著な骨塊から約０．５〜１インチより近くには配置されない。好ましくは、この可撓性の電気的導電性材料部分は、患者１６の背中、肩、脊柱、または肋骨ケージ上には配置されない。なぜなら、このような使用は、患者１６の正常身体機能における所望されない撹乱を生じ得るからである。好ましくは、この可撓性の電気的導電性材料部分は、任意の大血管または動脈から０．５〜１インチ以内には、これら血管が脂肪沈着物によって覆われていなければ、配置されない。少なくとも１つの絶縁性ギャップが、患者１６に接触するより大きな、可撓性電気的導電性材料部分の主軸に沿って位置決めされるべきである。
【００３４】
さらに、患者１６内に存在する、種々の生体電気回路がある。種々の生体電気回路が身体中に存在することが見出されている。これらの回路は、種々のプロセスに関与している。いくつかの回路は閉ループであり、そしてフィードバック機構で作動する。いくつかの回路は骨を含み、その他は、血液および神経を含む。単一の可撓性電気的導電性材料部分は、患者１６内のこれらの回路の１つの全長に沿って配置されるべきではない。例えば、単一の可撓性電気的導電性材料部分は、腕２４または脚２１の全長に沿って配置されるべきではない。このように配置され、かつ骨関節を横切る単一の可撓性電気的導電性材料部分は、腕２４または脚２１において、神経興奮および中枢神経系の抑制を生じ得、そして避けるべきである。単一の可撓性電気的導電性材料部分が、骨関節を横切るとき、電気プロセスの所望されない破壊が起こり得、そして関節組織の変形が生じ得る。従って、好適な実施形態では、骨関節の各々の領域の上で、可撓性電気的導電性材料部分に絶縁性の断絶がある。
【００３５】
さらに、好ましくは、患者１６の特定のゾーンまたは領域は、脂質沈着物が存在するときでさえ、分離されるべきである。胃／腹部に接触する可撓性の電気的導電性材料部分は、その他の可撓性電気的導電性材料部分とは非連結であるべきで、そして患者１６の腰および背中の半分を幅広くおよぶべきではない。内側太腿、外側太腿、および殿部を覆う可撓性電気的導電性材料部分は、それらの間に絶縁性ギャップを有するべきである。絶縁性ギャップは、患者１６の中央部分１７から半径方向の外側に測定したとき、被覆のほぼ６〜１８インチ毎に配置され得、所望されない反応を最小にしながら、効果的な結果を得る。配置に関する上記のガイドラインに従うとき、衣服１は、所望の結果が得られるまで、数日、数週間、または数ヶ月用いられ得ることが見出される。
【００３６】
女性の胸領域は、導電性部分が、患者１６の中央部分１７から少なくとも約１インチ離れて維持される場合に処置され得る。このような適用は、胸部縮小手術の代わりに用いられ得る。
【００３７】
代替の実施形態では、可撓性電気的導電性材料部分は、電気的に導電性のインクまたペイントとして、このような材料を、ユーザーの皮膚の上、または衣服１の内側にブラッシングまたはペインティングして電気的導電性材料部分を形成すること、ならびに種々の低抵抗金属、および炭素粉末および炭素ファイバーの使用を含む、導電性部分を製造するその他の技法により付与され得る。支持部分もまた、接着剤またはその他の固定もしくは結合剤のような、電気的に導電性のインクまたはペイントと混合され得る。次いで、この混合物を、患者の皮膚に塗布し得る。
【００３８】
衣服１は、体重減少デバイスまたは脂質沈着物の減少のための衣服として、製造され、パッケージされ、市場に置かれ、そして販売され得る。それはまた、体型成形デバイスとして市場に置かれ得る。この衣服１は、「体重を減らす」、「脂肪を燃やす」、「サイズを切り取る」、「ダイエット補助」、「太腿バスター」など、その使用を示してラベルされ得る。それは、店で、卸業者を通じて、ショッピングセンター、メール注文により、インターネット、テレビ、またはその他の手段で販売され得、そして体重減少、身体成形またはその他のこのようなデバイスの使用のための指示書および警告書を含み得る。この衣服１はまた、自然の「筋肉ビルダー」、「シェイパー」、「緊張器（ｔｏｎｅｒ）」などとして販売または市場に置かれ得る。このように衣服１を構築することは、大部分の人々がこの衣服１を心地よく、そして有害な作用を伴わずに着用および使用することを可能にする。
【００３９】
従って、ここに開示される装置の実施形態は、使用するのが安全かつ便利の両方であり、身体運動を必要とせず、そして効果的な結果を提供する、所望されない脂質沈着物を低減し、かつ体重を減らす新規手段を提供する。前述の明細書では、本発明を、その特定の実施形態を参照して記載してきた。しかし、種々の改変および変更が、本発明のより広い思想および範囲から逸脱することなくそれに対してなされ得ることは明白である。従って、本明細書および図面は、制限的意味よりはむしろ例示であるとみなされるべきであり、そして本発明は、以下の請求の範囲およびそれらの法的等価物によることを除き、制限も限定もされるべきではない。
【図面の簡単な説明】
【００４０】
【図１】図１は、本発明の実施形態に従う、電気的に導電性の部分をもつ体重コントロール衣服を示す。
【図２】図２は、本発明の実施形態に従う、電気的に導電性の部分をもつ体重コントロール衣服を示す。
【図３】図３は、患者によって着用されたときの、図２の導電性の部分をもつ衣服を示す。
【図４】図４は、患者の皮膚に適用されたときの、導電性の部分の断面図を示す。
【図１】
2005508675.tif 000003
【図２】
2005508675.tif 000004
【図３】
2005508675.tif 000005
【図４】
2005508675.tif 000006
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
患者における体重減少のための方法であって：
該患者中の皮下脂質沈着物を位置決めする工程；
該皮下脂質沈着物に近接する、第１の皮膚表面を同定する工程；
該患者中に自然に存在する電荷について、該皮下脂質沈着物を通る電流流れ経路を創製する導体を使用する工程；および
該電流流れ経路を、有意な電気的に誘因される体重減少を生じるに十分な時間維持する工程、を包含し、
ここで、該電流流れ経路が該導体の第１部分から該導体の第２部分へである、
方法。
【請求項２】
前記時間が、少なくとも３日間の間に、１日あたり少なくとも４時間を含む、請求項１に記載の方法。
【請求項３】
請求項１に記載の方法であって、前記電流流れ経路を創製する工程が、前記導体の第１部分を適用する工程であって、該導体が、前記第１の皮膚表面の第１皮膚表面領域に直接接触する低抵抗の電気的導電性材料を含む、工程、および前記導体の第２部分を、該第1の皮膚表面の第２皮膚表面領域に適用する工程を包含し、その結果、該導体が該第１皮膚表面領域から該第２皮膚表面領域への電気的導電性経路を提供し、そしてここで、該電流流れ経路の電流が、該患者の組織において自然に存在するイオンの形態であり、そしてここで、該電流流れ経路が該導体の第１部分から該導体の第２部分へである、方法。
【請求項４】
前記導体が、平方インチあたり１０，０００オームより低い抵抗を有する、請求項１に記載の方法。
【請求項５】
請求項１に記載の方法であって、前記導体が、該導体の使用の間に、該導体を横切って存在する電圧を、任意の方向で約０．５Ｖ未満に制限するのに十分な低抵抗を有する、方法。
【請求項６】
請求項１に記載の方法であって、ここで、前記第１の皮膚表面が前記患者において骨に近位であり、該骨は第1末端および第２末端を含み、そしてここで、該導体が該骨の第１末端に近位の該第１の皮膚表面内の第１皮膚表面領域から、該骨の第２末端に近位の該第１の皮膚表面内の第２皮膚表面領域への電流流れ経路を引き起こすよう配置される、方法。
【請求項７】
請求項１に記載の方法であって、該方法はさらに、以下の工程：
前記患者中の、第２の皮下脂肪沈着物を位置決めする工程；
該第２の皮下脂質沈着物に近接する、第２皮膚表面を同定する工程；および
該患者において自然に存在する第２の電荷に対して、該第２の皮下脂質沈着物を通る第２の電流流れ経路を創製するために、第２導体を使用する工程であって；ここで、該第１皮膚表面が第１の骨の近位にあり、該第２皮膚表面が第２の骨の近位にあり、該第１骨が骨関節で該第２骨と接続され、該第１導体が該第１骨および該骨関節の近位に配置され、該第２導体が該第２骨および該骨関節の近位に配置され、そして該第１導体および該第２導体が絶縁体により互いから分離されている、工程、
を包含する、方法。
【請求項８】
前記導体に過度の電流が印可されない、請求項１に記載の方法。
【請求項９】
前記導体が液体として前記第１皮膚表面に塗布される、請求項１に記載の方法。
【請求項１０】
前記液体が乾燥して前記導体を形成する、請求項９に記載の方法。
【請求項１１】
前記導体が、以下の少なくとも１つとして販売および売買される、請求項９に記載の方法：
ａ．重量減少物質、
ｂ．前記第１皮膚表面の形状を形成するための物質、
ｃ．フィットネス物質、
ｄ．筋肉緊張物質、
ｅ．脂肪燃焼物質、
ｆ．脂肪沈着物を低減する物質。
【請求項１２】
患者の体重を減少するための衣服であって：
該患者の第１の皮膚表面に直接接触して配置されるように適合され、そして該患者中に自然に存在するイオンのイオン電流を流すように適合される導体であって、ここで、該導体が、皮下脂肪沈着物に近位に位置付けられるように適合される、導体を備える、衣服。
【請求項１３】
請求項１２に記載の衣服であって、該衣服がさらに支持部分を備え、ここで、該支持部分が、前記皮下脂肪沈着物に近位に前記患者の第１の皮膚表面と直接接触して前記導体を維持するように適合される、衣服。
【請求項１４】
請求項１３の衣服であって、ここで、前記導体が前記支持部分に移動可能に取り付けられるように適合され、その結果該導体は前記皮下脂肪沈着物の近位に位置付けられ、そして骨関節に近位に配置されることを避けるように再配置され得る、衣服。
【請求項１５】
請求項１２に記載の衣服であって、ここで、前記導体は、該導体が前記患者で使用される場合に、該導体を横切って約０．５Ｖ未満を発生するように適合される低抵抗の電気的導電性材料を含み、ここで、該導体が該導体の第１部分から該導体の第２部分にイオン性電流を流させるように適合される、衣服。
【請求項１６】
前記導体が、平方インチあたり１０，０００オームより小さい抵抗を有する、請求項１５に記載の衣服。
【請求項１７】
請求項１２に記載の衣服であって、ここで、前記第１の皮膚表面が前記患者における骨に近位の皮膚表面を含み、該骨が第１末端および第２末端を含み、そしてここで、該導体が、該骨の第１末端に近位の該第１の皮膚表面内の第１皮膚領域から、該骨の第２末端に近位の該第１の皮膚表面内の第２皮膚領域への電流流れ経路を創製するために配置されるように適合される、衣服。
【請求項１８】
請求項１２に記載の衣服であって、該衣服がさらに、以下：
絶縁体；および
第２導体であって、前記患者の第２皮膚表面と直接接触して配置されるように適合され、そして該患者中に自然に存在する第２の電荷に対して、第２皮下脂肪沈着物を通って第２電流流れ経路を創製するように適合される導体、を備え、
ここで、前記第１導体および該第２導体が該絶縁体によって分離され、その結果、該絶縁体が該第１電流流れ経路を該第２電流流れ経路から絶縁する、衣服。
【請求項１９】
請求項１８に記載の衣服であって、ここで、前記第１の皮膚表面は第１の骨に近位であり、前記第２皮膚表面が第２の骨に近位であり、そして該第１の骨が骨関節で該第２の骨に接続され、そしてここで前記絶縁体が該骨関節に近位に配置されるように適合される、衣服。
【請求項２０】
請求項１９に記載の衣服であって、ここで、前記絶縁体が、前記骨関節に近位に配置されるように適合される衣服領域中の該衣服の皮膚接触表面に沿って位置付けられる、衣服。
【請求項２１】
請求項１８に記載の衣服であって、ここで、前記絶縁体が、第３の皮膚表面に近位に配置されるように適合され、該第３の皮膚表面が前記第１導体とも前記第２導体とも接触しない、衣服。
【請求項２２】
前記絶縁体が、前記第１導体または前記第２導体のいずれかよりも実質的に小さい、請求項２１に記載の衣服。
【請求項２３】
前記絶縁体が、約１２ｍｍの幅で前記第１導体と前記第２導体とを分離するように適合される、請求項１８に記載の衣服。
【請求項２４】
前記絶縁体が、平方インチあたり少なくとも１０，０００オームの抵抗を有する、請求項１８に記載の衣服。
【請求項２５】
請求項１８に記載の衣服であって、ここで、該衣服が前記第１導体および前記第２導体を含む複数の導体、ならびに複数の絶縁体を含み、ここで、該複数の導体が全体的に、前記第１皮下脂肪沈着物および前記第２皮下脂肪沈着物を含む皮下脂肪沈着物の上に配置されるように適合され、ここで、該複数の絶縁体が各々、該複数の導体の２つ以上の間にギャップを提供するように適合され、該ギャップの各々が前記患者の中心部分から該患者の四肢の遠位末端へと外側に延びる方向で、約６〜１８インチ毎に存在する、衣服。
【請求項２６】
前記複数の絶縁体が前記患者において複数の骨関節の上に配置されるように適合される、請求項２５に記載の衣服。
【請求項２７】
前記導体が、実質的な、電気的に誘因される体重減少を引き起こすのに十分な時間の間、適用されるように適合される、請求項１２に記載の衣服。
【請求項２８】
前記時間が、少なくとも３日間、１日あたり少なくとも４時間を含む、請求項２７に記載の衣服。
【請求項２９】
請求項１２に記載に衣服であって、ここで、前記患者が、中心部分、および該中心部分から四肢の遠位末端へと延びる四肢を含み、そして前記第１の皮膚表面が該中心部分により近い第１部分から、該中心部分からより遠くかつ該遠位末端により近い第２部分へと延び、そしてここで、該導体が該患者中に自然に存在する電気的勾配を取り囲む、衣服。
【請求項３０】
前記導体が、可撓性の布様材料を含む、請求項１２に記載の衣服。
【請求項３１】
前記導体が、銀を含む、請求項１２に記載の衣服。
【請求項３２】
以下の少なくとも１つとして販売および売買される、請求項１２に記載の衣服：
ａ．体重減少デバイス、
ｂ．体重減少衣服、
ｃ．フィットネス衣服、
ｄ．筋肉緊張デバイス、
ｅ．脂肪燃焼デバイス、
ｆ．脂質沈着物を低減するデバイス。
【国際調査報告】
2005508675.tif 000007